(57)【要約】【課題】  ロータリ式除湿機の除湿ロータ取替装置を提供する。【解決手段】  ロータリ式除湿機の除湿ロータ取替装置において、底板に設けられた複数のギアにより、複数箇所で、除湿ロータを固定することができる。また、ユーザがいずれかのギアを移動させることで、除湿機から除湿ロータを容易に取り出すことできる。【選択図】  図５
2008000741.tif 000002
【特許請求の範囲】
【請求項１】
レール溝を有し、前記レール溝の両端に第一及び第二止め部が設けられた底板と、
除湿ロータを有し、前記除湿ロータの周面に複数の歯部が設けられた除湿ロータ部と、
前記底板上に設けられ、第一ギア及びモータを有し、前記第一ギアが前記除湿ロータに噛合され、前記モータが前記第一ギアに駆動連結された第一ギアアセンブリと、
前記底板上に設けられ、第二ギアを有し、前記第二ギアが前記除湿ロータに噛合された第二ギアアセンブリと、
前記底板上に設けられ、第三ギア及び摺動材を有し、前記第三ギアが前記摺動材上に設けられ、前記摺動材が前記レール溝内に配置されることで、前記第三ギアが摺動可能に支持された第三ギアアセンブリとを備え、
前記第一、第二及び第三ギアが前記除湿ロータの周面に沿って三角形状に配置されていることを特徴とするロータリ式除湿機の除湿ロータ取替装置。
【請求項２】
レール溝を有し、前記レール溝の両端に第一及び第二止め部が設けられた底板と、
除湿ロータを有し、前記除湿ロータの周面に複数の歯部が設けられた除湿ロータ部と、
前記底板上に設けられ、第一ギア及びモータを有し、前記第一ギアが前記除湿ロータに噛合され、前記モータが前記第一ギアに駆動連結された第一ギアアセンブリと、
前記底板上に設けられ、第二ギアを有し、前記第二ギアが前記除湿ロータに噛合された第二ギアアセンブリと、
前記底板上に設けられ、２つの第四ギア及びＵ型摺動材を有し、前記第四ギアが前記Ｕ型摺動材上に設けられ、前記Ｕ型摺動材が前記レール溝内に配置されることで、前記第四ギアが摺動可能に支持された第四ギアアセンブリとを備え、
前記第一、第二及び第四ギアが前記除湿ロータの周面に沿って四角形状に配置されていることを特徴とするロータリ式除湿機の除湿ロータ取替装置。
【請求項３】
前記底板には、気流通路及び固定リブが設けられ、前記気流通路を除湿及び再生された気体が通過し、前記固定リブにより、前記気流通路の強度が高められていることを特徴とする請求項１又は２に記載のロータリ式除湿機の除湿ロータ取替装置。
【請求項４】
前記底板は、更に、第一孔、第二孔及びモータ固定孔を含み、前記モータ固定孔により、前記モータは、前記底板上に固定及び位置決めされ、前記第一孔により、前記第一ギアアセンブリは、前記底板上に固定及び位置決めされ、第二孔により、第二ギアアセンブリは、前記底板上に固定及び位置決めされていることを特徴とする請求項１又は２に記載のロータリ式除湿機の除湿ロータ取替装置。
【請求項５】
前記除湿ロータの片側には保護枠が設けられ、前記除湿ロータの周縁には保護リングが設けられ、前記保護リングには複数の歯部が設けられていることを特徴とする請求項１又は２に記載のロータリ式除湿機の除湿ロータ取替装置。
【請求項６】
前記除湿ロータ部は、更に、軸を含み、前記軸において、前記保護枠に対して複数の締付部材により連結され、前記保護リングは、前記保護枠に対して複数の締付部材により連結されていることを特徴とする請求項５に記載のロータリ式除湿機の除湿ロータ取替装置。
【請求項７】
前記第一ギアの両面には、前記除湿ロータを安定して支持するための第一突出縁部がそれぞれ設けられていることを特徴とする請求項１又は２に記載のロータリ式除湿機の除湿ロータ取替装置。
【請求項８】
前記第一ギアは、更に、第一軸孔を備え、前記第一軸孔には、前記モータの軸が嵌合していることを特徴とする請求項１又は２に記載のロータリ式除湿機の除湿ロータ取替装置。
【請求項９】
前記第二ギアの両面には、前記除湿ロータを安定して支持するための第二突出縁部がそれぞれ設けられていることを特徴とする請求項１又は２に記載のロータリ式除湿機の除湿ロータ取替装置。
【請求項１０】
前記第二ギアアセンブリは、更に、第二軸及び第二ブッシングを含み、前記第二ギアは第二軸孔を備え、前記第二ブッシングにより前記第二ギアの高さは調整可能であり、前記第二軸を前記第二軸孔と前記第二ブッシングとに嵌挿し、更に締付部材を前記第二軸に締め付けることにより、前記第二ギアアセンブリが前記底板の第二孔に固定されていることを特徴とする請求項１又は２に記載のロータリ式除湿機の除湿ロータ取替装置。
【請求項１１】
前記第三ギアの両面には、前記除湿ローターを安定して支持するための第三突出縁部がそれぞれ設けられていることを特徴とする請求項１に記載のロータリ式除湿機の除湿ロータ取替装置。
【請求項１２】
前記第三ギアアセンブリは、第三軸及び第三ブッシングを含み、前記第三ギアは第三軸孔を備え、前記第三ブッシングにより前記第二ギアの高さは調整可能であり、前記第三軸を前記第三軸孔と前記第三ブッシングとに嵌挿し、更に締付部材を前記第三軸に締め付けることにより、前記第三ギアが前記摺動材の一端に固定されていることを特徴とする請求項１に記載のロータリ式除湿機の除湿ロータ取替装置。
【請求項１３】
前記第三ギアアセンブリは、更に、第三固定材を含み、前記第三固定材を前記摺動材の一端に設けることで、前記摺動材は、レール溝に沿って円滑に摺動可能に支持されていることを特徴とする請求項１に記載のロータリ式除湿機の除湿ロータ取替装置。
【請求項１４】
前記レール溝は、円孤に沿って延びる溝であることを特徴とする請求項１に記載のロータリ式除湿機の除湿ロータ取替装置。
【請求項１５】
前記第四ギアの両面には、前記除湿ローターを安定して支持するため第四突出縁部がそれぞれ設けられていることを特徴とする請求項２に記載のロータリ式除湿機の除湿ロータ取替装置。
【請求項１６】
前記第四ギアアセンブリは、更に、第四軸を含み、前記第四ギアは第四軸孔を備え、前記第四軸を前記第四軸孔に嵌挿し、更に締付部材を前記第四軸に締め付けることにより、前記第四ギアが前記摺動材上に固定されていることを特徴とする請求項２に記載のロータリ式除湿機の除湿ロータ取替装置。
【請求項１７】
前記レール溝は、直線に沿って延びる溝であることを特徴とする請求項２に記載のロータリ式除湿機の除湿ロータ取替装置。
【請求項１８】
前記Ｕ型摺動材には凹孔が設けられ、前記凹孔を貫通する締付部材により、前記第四ギアが前記Ｕ型摺動材上に固定されていることを特徴とする請求項２に記載のロータリ式除湿機の除湿ロータ取替装置。
【請求項１９】
前記第四ギアアセンブリは、更に、第四固定材を含み、前記第四固定材が前記Ｕ型摺動材の両端に設けられ、締付部材により、前記Ｕ型摺動材と前記第四固定材とが連結されていることを特徴とする請求項２に記載のロータリ式除湿機の除湿ロータ取替装置。
【発明の詳細な説明】
【技術分野】
【０００１】
本発明は、除湿ロータ取替装置に係り、詳しくは、固定、回転機能を有し、使用者により、除湿ロータを取り替えることのできるロータリ式除湿機の除湿ロータ取替装置に関する。
【背景技術】
【０００２】
近年、除湿ロータを備える家庭用除湿機が、従来のコンプレッサ式の除湿機に代えて広まりつつある。除湿ロータを備えるロータリ式の除湿機の分解斜視図を図１に示す。湿った空気Ａ１が凝縮器Ａ９を通過して除湿ロータＡ３のハニカムフルートＡ２に取り込まれる。その際、空気Ａ１中の水分が除湿ロータＡ３に吸着され、乾燥した空気Ａ５が除湿ファンＡ４に供給されて、空気が除湿される。その際、除湿ロータＡ３が駆動機構により回転すると、除湿ロータＡ３に吸着された水が再生ゾーンＡ７に移動して、加熱、脱着処理が行われる。そして、再生ヒータＡ８により加熱されたダクト内の空気によって、除湿ロータＡ３に吸着された水分が除湿ロータから脱着されて外部へと排出される。こうして排出された吸湿後の空気Ａ６は、ダクトを通じて凝縮器Ａ９内に取り込まれてから結露する。結露して生成された水は、凝縮器Ａ９内のダクトを通じて除湿機内のタンクＡ１１に回収される。このようにして、再生ゾーンＡ７における気体の流動は再生ファンＡ１０によって提供され、このようなサイクルの下で、空気の除湿機能が発揮される。
【０００３】
一般に、除湿ロータは、除湿装置内の中央において、除湿装置と同軸上に支持及び固定されている。例えば、図２に示すように、除湿ロータ８１の外側に設けられた駆動機構Ｂ２を利用して除湿ロータＢ１を回転させることで、空気の除湿と再生とを行うことができる。除湿ロータの駆動方法としては、例えば、ギア直接駆動式、プーリ駆動式、軸直接駆動式等を挙げることができる。図２に示すギア直接駆動式の場合、駆動機構Ｂ２のギアと、除湿ロータＢ１の保護用外枠に設けられた歯との噛み合いを利用して、除湿ロータＢ１を回転させることができる。図３に示すプーリ駆動式の場合、除湿ロータＢ１の保護用外枠上に複数の歯部が設けられ、駆動機構上に駆動プーリＢ４が設けられ、除湿ロータＢ１と駆動プーリＢ４とが駆動ベルトＢ３により連結されている。図４に示す軸直接駆動式によれば、除湿ロータＢ１が駆動モータＢ５と同軸上に配置されており、軸継手Ｂ６を介して、除湿ロータＢ１と駆動モータＢ５とが連結されている。そして、駆動モータＢ５の動力が除湿ロータＢ１に伝達されて、除湿ロータＢ１が回転する。
【０００４】
一般に、除湿機に用いられる除湿ロータの使用寿命は約８〜１０年である。しかし、粉塵(塵埃)、煙粒子(タバコ)等により除湿ロータ内のハニカムに目詰まりが生じて、除湿機の寿命が短くなることがある。また、除湿機能が低下した場合には、除湿ロータを新品に取り替える方法でしか、本来の除湿機能を回復させることができない。しかしながら、除湿ロータの取り替えは、除湿機を分解した後でしか行うことができない。しかも、除湿ロータの取り替えは、ユーザにとって煩雑な作業を伴うため、購入店で行われることが多く、これにより、ユーザと販売者との双方に経済的な損失が生じていた。
【発明の開示】
【発明が解決しようとする課題】
【０００５】
本発明の主な目的は、ロータリ式除湿機の除湿ロータ取替装置を提供することであり、底板に設けられた複数のギアを介して除湿ロータを支持することで、除湿ロータの周面を各ギアにより固定することができる。また、ユーザがいずれかのギアを移動させることで、除湿ロータを装置内から容易に取り出すことができ、新品の除湿ロータに取り替えることができる。また、駆動ギアにより、除湿ロータが回転駆動することで、除湿機能及び再生性能が発揮されると共に、除湿ロータの固定、回転及び取替が容易に行える。つまり、ユーザ自身で、除湿装置内の除湿ロータを取り替えることができ、メンテナンスコストを節約することができる。
【課題を解決するための手段】
【０００６】
本発明の目的と効果を達成するため、本発明で用いられる技術手段及び構造の特徴及び機能を、図面を参照しつつ以下の本発明の好ましい実施形態に従って説明する。
【発明を実施するための最良の形態】
【０００７】
図５〜図８は、本発明のロータリ式除湿機の除湿ロータ取替装置の斜視図、分解斜視図、正面図及び側面図である。図５〜図８に示すように、除湿ロータ取替装置１００は、底板１０、除湿ロータ部２０、第一ギアアセンブリ３０、第二ギアアセンブリ４０及び第三ギアアセンブリ５０を含む。底板１０上には、レール溝１１が設けられ、レール溝１１の両端部には、第一止め部１１１と第二止め部１１２とがそれぞれ設けられている。底板１０には、除湿、再生された気体を通過させるための気流通路１２が設けられている。気流通路１２の形状は、必要に応じて設計変更することもできる。気流通路１２付近の強度を高めるため、底板１０上に固定リブ１３を設けることもできる。底板１０上には、第一孔１４、第二孔１５及びモータ固定孔１６が設けられている。モータ３２は、モータ固定孔１６に固定され、第一ギアアセンブリ３０は、第一孔１４に固定され、第二ギアアセンブリ４０は、第二孔１５に固定される。第三ギアアセンブリ５０は、底板１０のレール溝１１に沿って摺動可能に支持される。
【０００８】
除湿ロータ部２０は、除湿ロータ２１、保護枠２２及び保護リング２３を備えている。除湿ロータ２１の片側には、保護枠２２が設けられ、除湿ロータ２１の周面には、保護リング２３が設けられている。これら保護リング２３及び保護枠２２により、除湿ロータ２１が保護されると共に、保護リング２３上に設けられた複数の歯部２３１が、上述した各ギアに噛合される。除湿ロータ部２０は、軸２４を有しており、除湿ロータ２１により回転する。軸２４は、複数の締付部材７０により、保護枠２２に対して締め付けられている。また、保護リング２３も、締付部材７０により、保護枠２２に対して締め付けられている。これにより、除湿ロータ２１、保護リング２３及び保護枠２２を密着させて連結することができ、除湿ロータ部２０の構造を安定化させることができる。第一ギアアセンブリ３０は、第一ギア３１及びモータ３２を備えている。第一ギア３１は、複数の第一歯部３１１を有している。第一ギアアセンブリ３０は、除湿ローター２１に第一ギア３１を噛合させた状態で、底板１０上に設けられている。モータ３２は、第一ギア３１と連結した状態で、底板１０のモータ固定孔１６に固定されている。モータ３２が駆動すると、第一ギア３１と共に除湿ロータ２１が回転駆動する。つまり、第一ギア３１は駆動ギアとしての機能を果たす。
【０００９】
第二ギアアセンブリ４０は、第二ギア４１を備え、第二ギア４１は、複数の第二歯部４１１を有している。第二ギアアセンブリ４０は、第二ギア４１を除湿ロータ２１に噛合させた状態で、底板１０上に設けられている。つまり、第二ギア４１は固定ギアとしての機能を果たす。
【００１０】
第三ギアアセンブリ５０は、第三ギア５１及び摺動材５４を備えている。第三ギア５１は、摺動材５４上に設けられると共に、複数の第三歯部５１１を有している。第三ギアアセンブリ５０は、第三ギア５１を除湿ロータ２１に噛合させた状態で、底板１０上に設けられている。摺動材５４は、底板１０のレール溝１１に沿って配置されている。この摺動材５４は、レール溝１１の第一及び第二止め部１１１、１１２間にて移動可能である。摺動材５４の一端に第三ギア５１を設け、他端に第三固定材５５を設けることで、同摺動材５４をレール溝１１に沿って円滑に摺動させることができる。これにより、各ギアの第一、第二及び第三歯部３１１、４１１、５１１を除湿ロータの歯部２３１に接触させると共に、除湿ロータ２１を第一、第二及び第三ギア３１、４１、５１の三点で保持し、固定することができる。摺動材５４がレール溝１１の第一止め部１１１から第二止め部１１２に移動した時点で、第三ギア５１が除湿ロータ２１から離れる。このため、ユーザは、除湿ロータ２１を取り外すことができ、新品の除湿ロータに容易に取り替えることができる。逆に、除湿ロータ２１を取り付ける場合、摺動材５４がレール溝１１の第二止め部１１２から第一止め部１１１に移動した時点で、第一、第二及び第三ギア３１、４１、５１により除湿ロータ２１が保持及び固定される。
【００１１】
図９は、ロータリ式除湿機の除湿ロータ取替装置の第一ギアアセンブリが底板上に組み込まれた状態を示す側面図である。第一ギアアセンブリ３０は、第一ギア３１及びモータ３２を備え、第一ギア３１は、複数の第一歯部３１１を有している。第一ギア３１の両面には、第一突出縁部３１２がそれぞれ設けられている。両第一突出縁部３１２により、除湿ロータ２１を挟持し、位置決めすることで、第一ギア３１と除湿ロータ２１との噛み合いを安定化させることができる。第一ギア３１は駆動ギアであり、モータ３２の駆動により回転する。第一ギア３１は、第一軸孔３１３を含む。モータ３２は、締付部材７０により、底板１０のモータ固定孔１６に固定されている。モータの軸３２１は、底板１０の第一孔１４と第一ギア３１の第一軸孔３１３とを貫通して固定されている。第一ギア３１の第一歯部３１１と保護リング２３の歯部２３１とが噛合されているため、モータ３２が駆動すると、第一ギア３１と共に除湿ロータ２１が回転し、除湿機能が発揮される。
【００１２】
図１０は、ロータリ式除湿機の除湿ロータ取替装置の第二ギアアセンブリが底板上に組み込まれた状態を示す断面図であり、図１１は、第三ギアアセンブリが底板上に組み込まれた状態を示す断面図である。第二ギアアセンブリ４０の第二ギア４１は、複数の第二歯部４１１を備えている。第二ギア４１の両面には、第二突出縁部４１２がそれぞれ設けられている。両第二突出縁部４１２により、除湿ロータ２１を挟持し、位置決めすることで、第一ギア３１と除湿ロータ２１との噛み合いを安定させることができる。第二ギアアセンブリ４０は、第二軸４２及び第二ブッシング４３を備え、第二ギア４１には、第二軸孔４１３が設けられている。第二ギアアセンブリ４０は、第二軸孔４１３に挿通された第二軸４２によって、底板１０上に組み付けられている。第二ギア４１の第二歯部４１１と除湿ロータ２１の歯部２３１とを噛合させるため、第二ブッシング４３により第二軸４２との嵌め合いを変更して、第二ギア４１の高さを調整することができる。第二ギアアセンブリ４０は、締付部材７０により、底板１０の第二孔１５に固定されている。
【００１３】
第三ギアアセンブリ５０は、第三ギア５１及び摺動材５４を備えている。第三ギア５１は、複数の第三歯部５１１を有している。第三ギアアセンブリ５０は、第三ギア５１を除湿ロータ２１に噛合させた状態で、摺動材５４上に設けられている。第三ギア５１の両面には、第三突出縁部５１２がそれぞれ設けられている。両第三突出縁部５１２により、除湿ロータ２１を挟持し、位置決めすることで、第一ギア３１と除湿ロータ２１との噛み合いを安定化させることができる。第三ギアアセンブリ５０は、第三軸５２及び第三ブッシング５３を含む。第三ギア５１は、第三軸孔５１３を備えている。摺動材５４は、凸部５４１を備えており、その凸部５４１は、レール溝１１に沿って設置されている。第三ギアアセンブリ５０は、第三軸孔５１３に挿通された第三軸５２と摺動材５４とによって、レール溝１１に沿って摺動可能に支持されている。第三ギア５１の第三歯部５１１と除湿ロータ２１の歯部２３１とを噛合させるため、第三ブッシング５３より第三軸５２との嵌め合いを変更して、第三ギア５１の高さを調整することができる。第三ギア５１は、締付部材７０により、摺動材５４の一端に固定されている。
【００１４】
図１２は、ロータリ式除湿機の除湿ロータ取替装置の動作を説明するための説明図であり、図１３は、除湿ロータを除湿機から外した状態を示す平面図である。図１２に示すように、除湿ロータ取替装置１００の作動時には、除湿ロータ２１が第一、第二、第三ギアアセンブリ３０、４０、５０の各ギア３１、４１、５１により三箇所で支持されている。この場合、第三ギアアセンブリ５０の摺動材５４の一端に固定された第三固定材５５は、レール溝１１の第一止め部１１１に位置している。レール溝１１は、円孤に沿って延びる溝である。第一ギアアセンブリ３０に備えられたモータ３２が駆動すると、第一ギア３１が回転し、それに伴い、除湿ロータ２１も回転する。そして、除湿ロータ２１の回転により、空気の除湿と再生とが行われる。図１３に示すように、除湿ロータ２１を取り替える際、ユーザが摺動材５４をレール溝１１に沿って第一止め部１１１から第二止め部１１２まで移動させる。すると、第三ギア５１位置が変更されて、除湿ロータ２１の固定が解除される。つまり、第三ギア３１の第三歯部５１１が除湿ロータ２１の歯部２３１から外れるため、ユーザは、除湿ロータ２１を円滑に取り出すことができ、新品の除湿ロータ２１に取り替えることができる。
【００１５】
図１４は、別例のロータリ式除湿機の除湿ロータ取替装置の動作を説明する説明図であり、図１５は、図１４の除湿機から除湿ロータを外した状態を示す平面図である。この実施形態によれば、除湿ロータ２１は４箇所で支持されている。図１４に示すように、除湿ロータ取替装置１００は、底板１０、除湿ロータ部２０、第一ギアアセンブリ３０、第二ギアアセンブリ４０及び第四ギアアセンブリ６０を含む。底板１０には、一対のレール溝１１が設けられている。各レール溝１１は、いずれも直線に沿って延びる溝であり、レール溝１１の両端には、第一止め部１１１と第二止め部１１２とがそれぞれ設けられている。底板１０は、更に、気流通路１２、固定リブ１３、第一孔１４、第二孔１５及びモータ固定孔１６を含む。第四ギアアセンブリ６０は、底板１０上に配置されている。第四ギアアセンブリ６０は、Ｕ型摺動材６３と、Ｕ型摺動材６３上に設置される２つの第四ギア６１とを備えている。この場合、第四ギアアセンブリ６０のＵ型摺動材６３の両端がレール溝１１の第一止め部１１１に配置されている。第四ギア６１は、複数の第四歯部６１１を備え、第四ギア６１の両面には、第四突出縁部６１２がそれぞれ設けられている。両第四突出縁部６１２間に除湿ロータ２１を挟持し、位置決めすることで、除湿ロータ２１を安定して支持することができる。つまり、除湿ロータ２１は、第一、第二、第四ギア３１、４１、６１を通じて挟持され、位置決めされている。言い換えると、除湿ローター２１は、第一ギア３１、第二ギア４１及び第四ギア６１により、４箇所で支持されている。Ｕ型摺動材６３は、底板１０のレール溝１１上に設けられ、レール溝１１の第一、第二止め部１１１、１１２間において直線移動可能である。また、第一ギアアセンブリ３０は、モータ３２を含む。モータ３２が駆動すると、第一ギア３１と共に除湿ロータ２１が回転して、空気の除湿と再生とが行われる。図１５に示すように、除湿ロータ２１を取り替える際、ユーザが、第四ギアアセンブリ６０のＵ型摺動材６３を、レール溝１１に沿って第一止め部１１１から第二止め部１１２まで移動させる。すると、Ｕ型摺動材６３と共に第四ギア６１も移動して、第四ギア６１の第四歯部６１１が除湿ロータ２１の歯部２３１から外れるため、ユーザは、除湿ロータ２１を円滑に取り出すことができ、新品の除湿ロータ２１に取り替えることができる。
【００１６】
図１６は、別例のロータリ式除湿機の除湿ロータ取替装置びついてＵ型摺動材がレール溝に組み込まれた状態を示す断面図である。レール溝１１は、直線状に沿って延びる溝である。Ｕ型摺動材６３の両端には、第四固定材６４がそれぞれ取り付けられている。締付部材７０により、Ｕ型摺動材６３と第四固定材６４とを締め付けることで、Ｕ型摺動材６３を、レール溝１１に対して摺動可能に組み付けることができる。
【００１７】
図１７は、別例のロータリ式除湿機の除湿ロータ取替装置について第四ギアアセンブリがＵ型摺動材上に組み込まれた状態を示す断面図である。第四ギアアセンブリ６０は、２つの第四ギア６１と、Ｕ型摺動材６３とを備えている。第四ギア６１は、Ｕ型摺動材６３上に設けられている。第四ギア６１は、複数の第四歯部６１１を備えている。第四ギア６１の両面に第四突出縁部６１２をそれぞれ設けることで、第四ギア６１と除湿ロータ２１との噛み合いを安定化させることができる。第四ギアアセンブリ６０は、更に、第四軸６２を含む。また、第四ギア６１は、第四軸孔６１３を備えている。第四ギア６１がＵ型摺動材６３上に組み込まれた状態では、第四軸６２が第四ギア６１の第四軸孔６１３に嵌挿されている。Ｕ型摺動材６３に凹孔６３１を設け、締付部材７０を凹孔６３１に挿通させることで、第四ギア６１をＵ型摺動材６３に固定することができる。このようにすることで、Ｕ型摺動材６３がレール溝１１内を摺動しても、締付部材７０と底板１０とは干衝することはない。
【００１８】
本発明のロータリ式除湿機の除湿ロータ取替装置によれば、第一、第二、第三ギアアセンブリの第一、第二、第三ギアにより３箇所で除湿ロータが固定されている。また、第一ギアアセンブリはモータを備えており、第一ギアを回転させることで、除湿ロータを回転駆動させることができる。また、第三ギアアセンブリの摺動材を移動させることで、第三ギアの第三歯部を除湿ロータの歯部から外すことができる。これにより、除湿ロータを除湿機から取り出すことができ、新品の除湿ロータに取り替えることができる。その他、第一、第二、第四ギアアセンブリの第一、第二、第四ギアにより４箇所で除湿ロータを固定でき、また、第四ギアアセンブリのＵ型摺動材を移動させて除湿ロータを除湿機から取り出すこともできる。
【図面の簡単な説明】
【００１９】
【図１】従来のロータリ式除湿機の分解斜視図。
【図２】従来のロータリ式除湿機をギアで直接駆動させる構成を示す平面図。
【図３】従来のロータリ式除湿機をプーリで駆動させる構成を示す平面図。
【図４】従来のロータリ式除湿機をモータで直接駆動させる構成を示す平面図。
【図５】本発明のロータリ式除湿機の除湿ロータ取替装置を示す斜視図。
【図６】本発明のロータリ式除湿機の除湿ロータ取替装置を示す分解斜視図。
【図７】本発明のロータリ式除湿機の除湿ロータ取替装置の正面図。
【図８】本発明のロータリ式除湿機の除湿ロータ取替装置の側面図。
【図９】本発明のロータリ式除湿機の除湿ロータ取替装置について第一ギアアセンブリが底板に組み込まれた状態を示す部分拡大側面図。
【図１０】本発明のロータリ式除湿機の除湿ロータ取替装置について第二ギアアセンブリが底板に組み込まれた状態を示す部分拡大断面図。
【図１１】本発明のロータリ式除湿機の除湿ロータ取替装置について第三ギアアセンブリが底板に組み込まれた状態を示す部分拡大断面図。
【図１２】本発明のロータリ式除湿機の除湿ロータ取替装置の動作を説明するための説明図。
【図１３】本発明のロータリ式除湿機の除湿ロータ取替装置において除湿ロータを取り出した状態を示す正面図。
【図１４】別例のロータリ式除湿機の除湿ロータ取替装置の動作を説明するための説明図。
【図１５】別例のロータリ式除湿機の除湿ロータ取替装置において除湿ローターを取り出した状態を示す正面図。
【図１６】別例のロータリ式除湿機の除湿ロータ取替装置においてＵ型摺動材がレール溝に組み込まれた状態を示す部分拡大断面図。
【図１７】別例のロータリ式除湿機の除湿ロータ取替装置において第四ギアアセンブリがＵ型摺動材に組み込まれた状態を示す断面図。
【符号の説明】
【００２０】
１０…底板、１１…レール溝、１１１…第一止め部、１１２…第二止め部、１２…気流通路、１３…固定リブ、１４…第一孔、１５…第二孔、１６…  モータ固定孔、２０…除湿ロータ部、２１…除湿ロータ、２２…保護枠、２３…保護リング、２３１…歯部、２４…軸、３０…第一ギアアセンブリ、３１…第一ギア、３１１…第一歯部、３１２…第一突出縁部、３１３…第一軸孔、３２…モータ、３２１…モータの軸、４０…第二ギアアセンブリ、４１…第二ギア、４１１…第二歯部、４１２…第二突出縁部、４１３…第二軸孔、４２…第二軸、４３…第二ブッシング、５０…第三ギアアセンブリ、５１…第三ギア、５１１…第三歯部、５１２…第三突出縁部、５１３…第三軸孔、５２…第三軸、５３…第三ブッシング、５４…摺動材、５４１…凸部、５５…第三固定材、６０…第四ギアアセンブリ、６１…第四ギア、６１１…第四歯部、６１２…第四突出縁部、６１３…第四軸孔、６２…第四軸、６３…Ｕ型摺動材、６３１…凹孔、６４…第四固定材、７０…締付部材、１００…除湿ロータ取替装置、Ａ１…高湿空気、Ａ２…除湿側、Ａ３…除湿ロータ、Ａ４…除湿ファン、Ａ５…乾燥空気、Ａ６…吸湿後空気、Ａ７…再生ゾーン、Ａ８…再生ヒータ、Ａ９…凝縮器、Ａ１０…再生ファン、Ａ１１…タンク、Ｂ１…除湿ロータ、Ｂ２…駆動機構、Ｂ３…駆動ベルト、Ｂ４…駆動プーリ、Ｂ５…駆動モータ、Ｂ６…軸継手。
【図１】
2008000741.tif 000003
【図２】
2008000741.tif 000004
【図３】
2008000741.tif 000005
【図４】
2008000741.tif 000006
【図５】
2008000741.tif 000007
【図６】
2008000741.tif 000008
【図７】
2008000741.tif 000009
【図８】
2008000741.tif 000010
【図９】
2008000741.tif 000011
【図１０】
2008000741.tif 000012
【図１１】
2008000741.tif 000013
【図１２】
2008000741.tif 000014
【図１３】
2008000741.tif 000015
【図１４】
2008000741.tif 000016
【図１５】
2008000741.tif 000017
【図１６】
2008000741.tif 000018
【図１７】
2008000741.tif 000019